(57)【要約】【課題】シート表面から吹き出す風を簡便な構成により広く拡散させられるようにすること。【解決手段】シート表面から風Ａを吹き出すための吹出経路を備える空調シート１である。吹出経路が、シート側部からシート表面側に張り出し状に延びてシート幅方向の内側面１１Ａに沿って風Ａが流される立板状の配風板部１１と、配風板部１１のシートクッション３の天板面３Ａより張り出した先の部位からシート幅方向の内側に曲げられて配風板部１１に沿ってシート表面側へと流された風Ａをシート幅方向の内側へ曲げて排出する曲げ板部１２と、を有するパネル材１０により構成されている。【選択図】図２
2019084295.tif 000002
【特許請求の範囲】
【請求項１】
シート表面から風を吹き出すための吹出経路を備える空調シートであって、
前記吹出経路が、
シート側部からシート表面側に張り出し状に延びてシート幅方向の内側面に沿って風が流される立板状の配風板部と、
該配風板部のシート天板面より張り出した先の部位からシート幅方向の内側に曲げられて前記配風板部に沿ってシート表面側へと流された風をシート幅方向の内側へ曲げて排出する曲げ板部と、を有するパネル材により構成されている空調シート。
【請求項２】
請求項１に記載の空調シートであって、
更に、前記配風板部のシート幅方向の内側面に向けて該内側面より離れた位置から面外方向に風を当てて流すダクトを有する空調シート。
【請求項３】
請求項１又は請求項２に記載の空調シートであって、
更に、前記パネル材の前記シート側部に対するシート幅方向の配設位置を調節可能な位置調節機構を有する空調シート。
【請求項４】
請求項３に記載の空調シートであって、
前記位置調節機構が、前記パネル材のシート幅方向の外側への移動に伴って前記配風板部のシート幅方向の内側面をシート表面側へと向けさせる態様で回転させるヒンジ機構により構成されている空調シート。
【請求項５】
請求項３又は請求項４に記載の空調シートであって、
前記パネル材がシート両側部に配設されて前記位置調節機構により互いに左右対称状に同期して位置調節される対の構成とされている空調シート。
【請求項６】
請求項１から請求項５のいずれかに記載の空調シートであって、
更に、前記パネル材が前記配風板部のシート幅方向の内側面と対面する対面板部を有する空調シート。
【請求項７】
請求項６に記載の空調シートであって、
更に、前記対面板部に外部へ向けて熱放射を行う熱源が設けられている空調シート。
【請求項８】
請求項１から請求項７のいずれかに記載の空調シートであって、
更に、前記パネル材を前記シート天板面より張り出させた使用位置と前記シート天板面より裏側へ退かせた格納位置とに切り換え可能な格納機構を有する空調シート。
【請求項９】
請求項１から請求項８のいずれかに記載の空調シートであって、
更に、前記パネル材が、前記配風板部のシート幅方向の内側面に沿った風の流れを仕切るパーティションを有する空調シート。
【発明の詳細な説明】
【技術分野】
【０００１】
本発明は、空調シートに関する。詳しくは、シート表面から風を吹き出すための吹出経路を備える空調シートに関する。
【背景技術】
【０００２】
従来、いわゆる空調シートとして、シート表面より風を吹き出させて着座者の快適性を向上させる送風機能を備えたものが知られている（特許文献１）。具体的には、シート内部に風を流通させることのできるダクトが設定されており、同ダクトを通って流された風がシート表面に設定された吹出口より吹き出されるようになっている。
【先行技術文献】
【特許文献】
【０００３】
【特許文献１】特開２０１３−１１２１００号公報
【発明の概要】
【発明が解決しようとする課題】
【０００４】
上記従来技術では、ダクトから流された風を広い範囲に拡散させて吹き出させるようにするには、ダクトの形状を幅広状に絞り込んだり複数に分岐させたりして配風経路を広げることに加えて、広げた配風経路に隈なく風を拡散できるようにする工夫が必要となる。本発明は、上記問題を解決するものとして創案されたものであって、本発明が解決しようとする課題は、シート表面から吹き出す風を簡便な構成により広く拡散させられるようにすることにある。
【課題を解決するための手段】
【０００５】
上記課題を解決するために、本発明の空調シートは次の手段をとる。
【０００６】
第１の発明は、シート表面から風を吹き出すための吹出経路を備える空調シートである。吹出経路が、シート側部からシート表面側に張り出し状に延びてシート幅方向の内側面に沿って風が流される立板状の配風板部と、配風板部のシート天板面より張り出した先の部位からシート幅方向の内側に曲げられて配風板部に沿ってシート表面側へと流された風をシート幅方向の内側へ曲げて排出する曲げ板部と、を有するパネル材により構成されている。
【０００７】
この第１の発明によれば、シート側部に張り出し状のパネル材を設ける簡便な構成により、同パネル材の配風板部の内側面に沿って風をシート表面側へと広く拡散させながら流すと共にその流した風をパネル材の曲げ板部により着座者の身体側へと向かうシート幅方向の内側へ吹き出すことができる。
【０００８】
第２の発明は、上述した第１の発明において、更に、配風板部のシート幅方向の内側面に向けて同内側面より離れた位置から面外方向に風を当てて流すダクトを有するものである。
【０００９】
この第２の発明によれば、ダクトから配風板部の内側面に当てられた風が、配風板部の内側面に沿ってより広く面内方向に拡散されて流されるようになる。また、ダクトがパネル材とは繋がりのない構成となるため、ダクトに対してパネル材の配設位置の変化を吸収するための構造を設ける必要のない簡素な構成とすることができる。
【００１０】
第３の発明は、上述した第１又は第２の発明において、更に、パネル材のシート側部に対するシート幅方向の配設位置を調節可能な位置調節機構を有するものである。
【００１１】
この第３の発明によれば、位置調節機構により、パネル材の配設位置を着座者の体格差や風の強弱の好みに合わせてシート幅方向に自由に調節することができる。
【００１２】
第４の発明は、上述した第３の発明において、位置調節機構が、パネル材のシート幅方向の外側への移動に伴って配風板部のシート幅方向の内側面をシート表面側へと向けさせる態様で回転させるヒンジ機構により構成されているものである。
【００１３】
この第４の発明によれば、位置調節機構により、パネル材の配設位置や向きを、着座者の体格差や風の強弱・向き等の好みに合わせてシート幅方向に自由に調節することができる。
【００１４】
第５の発明は、上述した第３又は第４の発明において、パネル材がシート両側部に配設されて位置調節機構により互いに左右対称状に同期して位置調節される対の構成とされているものである。
【００１５】
この第５の発明によれば、着座者の身体へ向けて左右両側から対称状に風を吹き出せるようになると共に、各側のパネル材の位置調節を個別に行うことなくまとめて対称状に簡便に調節することができる。
【００１６】
第６の発明は、上述した第１から第５のいずれかの発明において、更に、パネル材が配風板部のシート幅方向の内側面と対面する対面板部を有するものである。
【００１７】
この第６の発明によれば、対面板部により、パネル材の配風板部の内側面に沿って流れる風をより無駄なく効率的にシート表面側へと拡散させて流すことができる。
【００１８】
第７の発明は、上述した第６の発明において、更に、対面板部に外部へ向けて熱放射を行う熱源が設けられているものである。
【００１９】
この第７の発明によれば、対面板部に設けられた熱源により、着座者の身体に向けてシート幅方向の外側から直接的な熱放射を行うことができると共に、配風板部との間を流れる風にも熱放射がされて、パネル材から吹き出される風によっても熱放射を行うことができる。
【００２０】
第８の発明は、上述した第１から第７のいずれかの発明において、更に、パネル材をシート天板面より張り出させた使用位置とシート天板面より裏側へ退かせた格納位置とに切り換え可能な格納機構を有するものである。
【００２１】
この第８の発明によれば、パネル材を不使用時に着座者にとって邪魔にならない位置へと退けることができる。
【００２２】
第９の発明は、上述した第１から第８のいずれかの発明において、更に、パネル材が、配風板部のシート幅方向の内側面に沿った風の流れを仕切るパーティションを有するものである。
【００２３】
この第９の発明によれば、パーティションにより、パネル材の配風板部の内側面に沿って流れる風をより適切に狙いとする方向へ拡散させられるようにコントロールすることができる。
【図面の簡単な説明】
【００２４】
【図１】実施例１の空調シートの概略構成を表した斜視図である。
【図２】図１のＩＩ−ＩＩ線断面図である。
【図３】各パネル材を格納位置へと退けた状態を表した断面図である。
【図４】パネル材単体の分解斜視図である。
【図５】パネル材単体の側面図である。
【図６】実施例２の空調シートの概略構成を表した図２に対応する断面図である。
【図７】実施例３の空調シートのパネル材の概略構成を表した側面図である。
【図８】実施例４の空調シートの概略構成を表した斜視図である。
【発明を実施するための形態】
【００２５】
以下に、本発明を実施するための形態について、図面を用いて説明する。
【実施例１】
【００２６】
《空調シート１の概略構成について》
始めに、実施例１の空調シート１の構成について、図１〜図５を用いて説明する。なお、以下の説明において、前後上下左右等の各方向を示す場合には、各図中に示されたそれぞれの方向を指すものとする。また、「シート幅方向」と示す場合には、空調シート１の左右方向を指すものとする。
【００２７】
本実施例の空調シート１は、図１に示すように、自動車の後部側座席として構成されている。上記空調シート１は、着座者の背凭れ部となるシートバック２と、着座部となるシートクッション３と、を備えた構成とされている。
【００２８】
上述したシートクッション３は、図１〜図２に示すように、そのシート側部となるシート幅方向の両側部に、立板形状に張り出す可動式のパネル材１０がそれぞれ設けられた構成とされている。これらパネル材１０は、それぞれ、シートクッション３の下部に設けられた空調装置２０から送り出された風Ａを、それらのシート幅方向の内側面に沿ってシート上方側（シート表面側）へと吹き流すと共に、それらの上縁側のシート幅方向の内側に曲げられた形状によって着座者の大腿部に向けて横から吹き出すようにガイドするものとなっている。
【００２９】
上述した各パネル材１０は、それぞれ、後述する可動機構３０によって、シートクッション３の各側部からの立ち上り角度を互いに左右対称状に同期して位置調節することができるように構成されている。具体的には、各パネル材１０は、上記可動機構３０により、互いをシート前後方向に延びる回転軸３１のまわりにシート幅方向の内側に寄せたりシート幅方向の外側に離したりする態様で、互いの間のシート幅方向の距離を調節することができるようになっている。
【００３０】
上記位置調節により、各パネル材１０は、着座者の体格が大きい場合には、各々をシート幅方向の外側へと回転移動させて互いの間のシート幅方向の距離を広げると共に風Ａの吹き出し方向を上方に向けさせて、着座者に窮屈感を感じさせることなく大腿部等の身体表面に沿って適切な向きに風Ａを吹き出せるようにすることができるようになっている。また、各パネル材１０は、着座者の体格が小さい場合には、各々をシート幅方向の内側へと回転移動させて互いの間のシート幅方向の距離を狭めると共に風Ａの吹き出し方向を下方に向けさせることで、各々を着座者の体格に合った窮屈感を感じさせにくい適切な位置に配置しつつ大腿部等の身体表面に沿って適切な向きに風Ａを吹き出せるようにすることができるようになっている。
【００３１】
また、上述した各パネル材１０は、図３に示すように、それらの不使用時には、上述した可動機構３０によって、各々をシートクッション３の天板面３Ａ（シート天板面）より上側に張り出させた使用位置Ｐ１から、天板面３Ａより下側へと退かせた格納位置Ｐ２へと移動させることができるようになっている。上記格納により、各パネル材１０を使用しない時には、各々を乗降時や足を広げた際に邪魔にならない状態としておくことができるようになっている。ここで、上述した可動機構３０が本発明の「位置調節機構」及び「格納機構」に相当する。
【００３２】
《パネル材１０の構成について》
以下、上述した各パネル材１０及びこれらを動作させる可動機構３０の構成について、具体的に詳しく説明していく。先ず、各パネル材１０の構成について説明する。なお、各パネル材１０は、互いに左右対称の構造となっているため、以下ではこれらのうちの一方側の構成について代表して説明することがある。図４に示すように、各パネル材１０は、それぞれ、シート高さ方向に略真っ直ぐ立ち上がる形に延びる平板形状の配風板部１１と、配風板部１１の上縁部位からシート幅方向の内側に湾曲状に曲げられた形となって延びる曲げ板部１２と、配風板部１１にシート幅方向の内側から対面する形に取り付けられた平板形状の対面板部１３と、を有する。
【００３３】
上述した配風板部１１は、図２に示すように、その対面板部１３と対面するシート幅方向の内側面１１Ａに沿って下側から上側に向かって風Ａが吹き流される構成とされている。具体的には、配風板部１１は、その下端側近傍の前後側の各端部が、後述する可動機構３０を構成するシート前後方向に延びる回転軸３１により、シートクッション３の不図示のサイド骨格から延びるブラケット３Ｂに回転可能に軸連結された構成とされている。上記連結により、配風板部１１は、上述した内側面１１Ａが上述した回転軸３１による連結箇所より下側へと延びる延長部位１１Ｂを有した形に形成された構成とされている。
【００３４】
上述した配風板部１１は、その回転軸３１による連結箇所より下側へと延びる延長部位１１Ｂの内側面１１Ａに、シートクッション３の下部に設けられた空調装置２０からダクト２１を通って送り出された風Ａがシート幅方向の内側から吹き当てられるようになっている。そして、上記配風板部１１は、上記延長部位１１Ｂの内側面１１Ａに吹き当てられた風Ａが、内側面１１Ａに対する面外方向からの当たりによって面内方向（シート前後方向）に広く拡散されながら内側面１１Ａに沿って下側から上側へと漸次吹き流されるようになっている。
【００３５】
具体的には、上述した空調装置２０に繋がれたダクト２１は、上述した配風板部１１の内側面１１Ａには接触しておらず、配風板部１１の内側面１１Ａに向けてシート幅方向の内側に離間した位置から僅かに上向きとなる斜めの角度で面外方向に風Ａを吹き出させる構成となっている。なお、上述したダクト２１の向きは、本実施例では固定されているが、パネル材１０の回転に合わせて変えられるようになっていてもよい。
【００３６】
曲げ板部１２は、図２に示すように、パネル材１０が使用位置Ｐ１の状態の時には、シートクッション３の天板面３Ａより上側に張り出した位置に設けられて、上述した配風板部１１の内側面１１Ａに沿って上側へと流される風Ａを、シートクッション３の天板面３Ａより上側の位置からシート幅方向の内側へと曲げて排出するようになっている。上述した曲げ板部１２は、そのシート幅方向の内側に湾曲状に曲げられた形状により、配風板部１１の内側面１１Ａに沿って上側へと流される風Ａをシート幅方向の内側に約９０度スムーズに曲げて排出することができるようになっている。詳しくは、上述した曲げ板部１２は、その湾曲に伴う流路抵抗の作用により、配風板部１１の内側面１１Ａに沿って上側へと流される風Ａを面内方向であるシート前後方向により拡散させながらシート幅方向の内側へと排出することができるようになっている。
【００３７】
対面板部１３は、図４に示すように、上述した配風板部１１の内側面１１Ａと対面する形に組み付けられている。具体的には、対面板部１３は、その配風板部１１と対面する外側面上の複数箇所から筋状に突出して形成された各パーティション１３Ａが、配風板部１１の内側面１１Ａに突き当てられる位置にてそれぞれ接着されることにより、配風板部１１の内側面１１Ａに一体的に組み付けられた状態とされている。上述した各パーティション１３Ａは、図５に示すように、対面板部１３の外側面上におけるシート前後方向の複数の箇所からそれぞれシート高さ方向に筋状に延びる形となって突出して形成されている。
【００３８】
上記構成の対面板部１３が配風板部１１の内側面１１Ａに対面して設けられていることにより、配風板部１１の内側面１１Ａに沿って下側から上側へと吹き流される風Ａが、取付板部による押さえによってシート幅方向の内側へと漏れ出ることなく、上側へ向かって適切に吹き流されるようになっている。詳しくは、上記対面板部１３に形成された複数のパーティション１３Ａにより、配風板部１１の内側面１１Ａに沿って対面板部１３との間を下側から上側へと吹き流される風Ａの流路が、シート前後方向に並ぶ複数の流路に仕切られて、これら仕切られた各流路の形状案内に従って各々を流れる風Ａが適切に上向きに流されるように導かれるようになっている。
【００３９】
より詳しくは、上述した各パーティション１３Ａは、対面板部１３の下端側領域と上端側領域とを残すシート高さ方向の中間領域にのみ形成されている。上記構成により、対面板部１３は、その各パーティション１３Ａが形成されていない下端側領域では、対面する配風板部１１の内側面１１Ａとの間に流れる風Ａをシート前後方向（面内方向）に広く拡散させられるように機能するようになっている。また、対面板部１３は、各パーティション１３Ａの形成された中間領域では、対面する配風板部１１の内側面１１Ａとの間に流れる風Ａを各パーティション１３Ａによる仕切りによって上側へと整流させて吹き流せるように機能するようになっている。
【００４０】
上述した対面板部１３は、図２及び図５に示すように、上述した配風板部１１の延長部位１１Ｂより上側の領域に対面するように設けられており、図２で前述したダクト２１から配風板部１１の延長部位１１Ｂに向けての風Ａの吹き当てを阻害しないように設けられている。
【００４１】
図２及び図４に示すように、上述した対面板部１３のシート幅方向の内側の面上には、外部に向けて熱放射を行うことのできる面状のパネルヒータＨが取り付けられている。上記パネルヒータＨにより、対面板部１３がシート幅方向の外側から面を向ける着座者の左右の大腿部に向けて両外側から輻射熱による快適な温熱を当てることができるようになっている。また、パネルヒータＨから放出された熱が、配風板部１１との間を流れる風Ａにも伝えられて、パネル材１０の曲げ板部１２から吹き出される風ＡによってもパネルヒータＨの熱を着座者に向けて当てることができるようになっている。ここで、上述したパネルヒータＨが本発明の「熱源」に相当する。
【００４２】
したがって、上記パネルヒータＨの取り付けられたパネル材１０の位置を図２で前述した可動機構３０によって調節することにより、パネルヒータＨから当てられる熱の強弱も調節することができる。なお、上述したパネル材１０は、実際には対面板部１３のシート幅方向の内側の領域に図示しない発泡ウレタン製のパッド材が被せ付けられており、更に同パッド材を表側（シート幅方向の内側）から覆う図示しないファブリック製のカバー材が被せ付けられている。上記構成により、パネル材１０は、着座者の身体に当たる面部が上述した不図示のパッド材により弾性的に柔らかく当てられるようになっていると共に、不図示のカバー材により見栄えの良い外観に仕上げられた構成とされている。また、パネルヒータＨが直接、着座者の身体に当たることなく、不図示のパッド材及びカバー材を介して着座者の身体に快適な温い温度となって当てられるようになっている。
【００４３】
《可動機構３０の構成について》
可動機構３０は、図２で前述した各パネル材１０をシートクッション３の不図示の各サイド骨格から延びる各ブラケット３Ｂに回転可能に軸連結する各回転軸３１を有し、これら回転軸３１に不図示の駆動ユニットが繋がれた構成とされている。具体的には、各回転軸３１は、シート前後方向に真っ直ぐ延びる軸の向きとされて、対応する各パネル材１０の前後側の各端部にそれぞれ一体的に結合されて取り付けられている。そして、各回転軸３１は、対応する各ブラケット３Ｂに貫通して形成された各長孔３Ｂａ内にシート前後方向に通された状態として、上述した不図示の駆動ユニットにより各長孔３Ｂａ内における位置をスライド調節することができるように各ブラケット３Ｂに組み付けられた状態とされている。
【００４４】
上述した各長孔３Ｂａは、それぞれ、シートクッション３の背面側に位置する下端側位置からシート幅方向の外側かつ上方に向かって斜めに延びる孔形状に形成されている。上記構成の可動機構３０は、図２に示すように上述した各回転軸３１を各長孔３Ｂａの上端側位置まで移動させることで各パネル材１０をシートクッション３の天板面３Ａより上側に張り出させた使用位置Ｐ１の状態とし、図３に示すように各回転軸３１を各長孔３Ｂａの下端側位置まで移動させることで各パネル材１０をシートクッション３の天板面３Ａより下側に退かせた格納位置Ｐ２の状態とするようになっている。上記可動機構３０は、各回転軸３１を各長孔３Ｂａの上端側位置と下端側位置との間で移動させる時には、各パネル材１０をシートクッション３の側面形状に沿わせて省スペースに移動させられるよう、各回転軸３１を適宜回転させながら各長孔３Ｂａの形状に沿ってスライドさせるようになっている。
【００４５】
また、上記可動機構３０は、上述した各回転軸３１を各長孔３Ｂａ内における上端側位置から途中位置まで退かせることで、各パネル材１０のシートクッション３の天板面３Ａからの張り出し量を抑えるように調節することができるようになっている。上記調節により、各パネル材１０からの風Ａの吹き出し位置をシート幅方向に遠ざけたり近付けたりすることなく下げることができるようになるため、風Ａの吹き出し位置をより高い自由度で調節できるようになる。
【００４６】
《まとめ》
以上をまとめると、本実施例の空調シート１は次のような構成とされている。すなわち、シート表面から風（Ａ）を吹き出すための吹出経路を備える空調シート（１）である。吹出経路が、シート側部からシート表面側に張り出し状に延びてシート幅方向の内側面（１１Ａ）に沿って風（Ａ）が流される立板状の配風板部（１１）と、配風板部（１１）のシート天板面（３Ａ）より張り出した先の部位からシート幅方向の内側に曲げられて配風板部（１１）に沿ってシート表面側へと流された風（Ａ）をシート幅方向の内側へ曲げて排出する曲げ板部（１２）と、を有するパネル材（１０）により構成されている。
【００４７】
このように、シート側部に張り出し状のパネル材（１０）を設ける簡便な構成により、同パネル材（１０）の配風板部（１１）の内側面（１１Ａ）に沿って風（Ａ）をシート表面側へと広く拡散させながら流すと共にその流した風（Ａ）をパネル材（１０）の曲げ板部（１２）により着座者の身体側へと向かうシート幅方向の内側へ吹き出すことができる。
【００４８】
また、空調シート（１）が、更に、配風板部（１１）のシート幅方向の内側面（１１Ａ）に向けて同内側面（１１Ａ）より離れた位置から面外方向に風（Ａ）を当てて流すダクト（２１）を有する。このような構成とされていることにより、ダクト（２１）から配風板部（１１）の内側面（１１Ａ）に当てられた風（Ａ）が、配風板部（１１）の内側面（１１Ａ）に沿ってより広く面内方向に拡散されて流されるようになる。また、ダクト（２１）がパネル材（１０）とは繋がりのない構成となるため、ダクト（２１）に対してパネル材（１０）の配設位置の変化を吸収するための構造を設ける必要のない簡素な構成とすることができる。
【００４９】
また、空調シート（１）が、更に、パネル材（１０）のシート側部に対するシート幅方向の配設位置を調節可能な位置調節機構（３０）を有する。このような構成とされていることにより、位置調節機構（３０）により、パネル材（１０）の配設位置を着座者の体格差や風（Ａ）の強弱の好みに合わせてシート幅方向に自由に調節することができる。
【００５０】
また、位置調節機構（３０）が、パネル材（１０）のシート幅方向の外側への移動に伴って配風板部（１１）のシート幅方向の内側面（１１Ａ）をシート表面側へと向けさせる態様で回転させるヒンジ機構により構成されている。このような構成とされていることにより、位置調節機構（３０）により、パネル材（１０）の配設位置や向きを、着座者の体格差や風（Ａ）の強弱・向き等の好みに合わせてシート幅方向に自由に調節することができる。
【００５１】
また、パネル材（１０）がシート両側部に配設されて位置調節機構（３０）により互いに左右対称状に同期して位置調節される対の構成とされている。このような構成とされていることにより、着座者の身体へ向けて左右両側から対称状に風（Ａ）を吹き出せるようになると共に、各側のパネル材（１０）の位置調節を個別に行うことなくまとめて対称状に簡便に調節することができる。
【００５２】
更に、パネル材（１０）が配風板部（１１）のシート幅方向の内側面（１１Ａ）と対面する対面板部（１３）を有する。このような構成とされていることにより、対面板部（１３）により、パネル材（１０）の配風板部（１１）の内側面（１１Ａ）に沿って流れる風（Ａ）をより無駄なく効率的にシート表面側へと拡散させて流すことができる。
【００５３】
更に、対面板部（１３）に外部へ向けて熱放射を行う熱源（Ｈ）が設けられている。このような構成とされていることにより、対面板部（１３）に設けられた熱源（Ｈ）により、着座者の身体に向けてシート幅方向の外側から直接的な熱放射を行うことができると共に、配風板部（１１）との間を流れる風（Ａ）にも熱放射がされて、パネル材（１０）から吹き出される風（Ａ）によっても熱放射を行うことができる。
【００５４】
また、空調シート（１）が、更に、パネル材（１０）をシート天板面（３Ａ）より張り出させた使用位置（Ｐ１）とシート天板面（３Ａ）より裏側へ退かせた格納位置（Ｐ２）とに切り換え可能な格納機構（３０）を有する。このような構成とされていることにより、パネル材（１０）を不使用時に着座者にとって邪魔にならない位置へと退けることができる。
【００５５】
更に、パネル材（１０）が、配風板部（１１）のシート幅方向の内側面（１１Ａ）に沿った風（Ａ）の流れを仕切るパーティション（１３Ａ）を有する。このような構成とされていることにより、パーティション（１３Ａ）により、パネル材（１０）の配風板部（１１）の内側面（１１Ａ）に沿って流れる風（Ａ）をより適切に狙いとする方向へ拡散させられるようにコントロールすることができる。
【実施例２】
【００５６】
《空調シート１の概略構成について》
続いて、実施例２の空調シート１の構成について、図６を用いて説明する。本実施例では、パネル材１０が配風板部１１と曲げ板部１２とから成る１枚の板材のみで構成されており、実施例１で示した対面板部（１３）に相当する構成を持たない構成となっている。このような構成であっても、パネル材１０は、配風板部１１の延長部位１１Ｂの内側面１１Ａにシート幅方向の内側から当てられた風Ａを、内側面１１Ａの面内方向であるシート前後方向に広く拡散させて上側へと吹き流すことができると共に、上記吹き流された風Ａを曲げ板部１２からシート幅方向の内側に曲げて排出することができるようになっている。
【００５７】
また、上記パネル材１０は、その使用位置Ｐ１に置かれた状態では、その配風板部１１の内側面１１Ａと対面するシートクッション３の各側の側面部（カマチ面部）が対面部として機能して、配風板部１１の内側面１１Ａに沿って上側へと流れる風Ａがシート幅方向の内側へと漏れ出ることを抑えるようになっている。したがって、このような構成であっても、配風板部１１の内側面１１Ａに沿って上側へと流される風Ａをシート前後方向に適切に拡散させながら吹き流すことができる。なお、上記以外の構成については、実施例１で示した構成と同じとなっているため、同一の符号を付して説明を省略することとする。
【実施例３】
【００５８】
《空調シート１の概略構成について》
続いて、実施例３の空調シート１の構成について、図７を用いて説明する。本実施例では、対面板部１３に形成される各パーティション１３Ｂが、対面板部１３のシート前後方向の略中央の下方位置を中心とした放射状に延びる形に突出して形成された構成とされている。このような構成とされていることにより、ダクト２１から配風板部１１の延長部位１１Ｂの内側面１１Ａに吹き当てられた風Ａを、各パーティション１３Ｂの延びる案内形状に沿って、シート前後方向により広く拡散させられるようにすることができるようになっている。
【００５９】
また、前側のパーティション１３Ｂの前斜め上側へと延びる形状案内によって、配風板部１１の内側面１１Ａに沿って流れる風Ａを、配風板部１１の前側へ向けても吹き流せるように導くことができるようになっている。したがって、配風板部１１の前側の縁部にも、曲げ板部１２と同じようにシート幅方向の内側へと曲げられる形状板部を設定することにより、上記前側へと流された風Ａをシートクッション３の前面より前側の位置からシート幅方向の内側へと曲げて排出することができる。上記シートクッション３の前側の位置からシート幅方向の内側に向けて風Ａを吹き出すことにより、着座者の左右の下腿部に向けて両外側から風Ａを当てることができる。なお、上記以外の構成については、実施例１で示した構成と同じとなっているため、同一の符号を付して説明を省略することとする。
【実施例４】
【００６０】
《空調シート１の概略構成について》
続いて、実施例４の空調シート１の構成について、図８を用いて説明する。本実施例では、左右一対のパネル材１０及びこれらの立ち上り角を調節したり展開格納したりする可動機構３０が、いわゆるハイバックタイプのシートバック２に対して設定されている。具体的には、各パネル材１０は、それぞれ、シートバック２の背裏部に設けられた空調装置２０から送り出された風Ａを、それらの配風板部１１のシート幅方向の内側面１１Ａに沿ってシート前方側（シート表面側）へと吹き流すと共に、それらの前縁側のシート幅方向の内側に曲げられた曲げ板部１２によって着座者の頭部や胸部に向けて横から吹き出すようにガイドするものとして設けられている。
【００６１】
上述した各パネル材１０は、それらの不使用時には、上述した可動機構３０によって、各々をシートバック２の天板面２Ａ（シート天板面）より前側に張り出させた使用位置Ｐ１から、天板面２Ａより後側へと退かせた格納位置Ｐ２へと移動させることができるようになっている。上述した可動機構３０は、各パネル材１０をシートバック２の不図示の各サイド骨格から延びる各ブラケット２Ｂに回転可能に軸連結する各回転軸３１を有し、これら回転軸３１に不図示の駆動ユニットが繋がれた構成とされている。
【００６２】
各回転軸３１は、シート高さ方向に真っ直ぐ延びる軸の向きとされて、対応する各パネル材１０の上下側の各端部にそれぞれ一体的に結合されて取り付けられている。そして、各回転軸３１は、対応する各ブラケット２Ｂに貫通して形成された各長孔２Ｂａ内にシート高さ方向に通された状態として、上述した不図示の駆動ユニットにより各長孔２Ｂａ内における位置をスライド調節することができるように各ブラケット２Ｂに組み付けられた状態とされている。なお、上記各パネル材１０及び可動機構３０の基本構成は、実施例１で示した構成に対応した実質的に同一の構成となっているため、対応する構成に同一の符号を付して詳細な説明を省略することとする。
【００６３】
《その他の実施形態について》
以上、本発明の実施形態を４つの実施例を用いて説明したが、本発明は上記実施例のほか各種の形態で実施することができるものである。例えば、本発明の空調シートは、家具等の乗物以外に供されるシートの他、自動車や鉄道等の車両又は航空機、船舶等を含む様々な乗物用に供されるシートにも広く適用することができるものである。
【００６４】
また、パネル材は、空調シートの少なくとも一方のシート側部に設定されていればよく、必ずしも両側部に一対で設定されていなくてもよい。また、パネル材が空調シートの両側部に設定されている場合において、位置調節機構や格納機構は、各々のパネル材を互いに連動させたり同時に動かしたりすることなく別個独立に動かすように構成されたものであってもよい。上記位置調節機構や格納機構は、駆動ユニットにより電動で動かされるものの他、手動操作により動かされたりロック解除に伴うバネの付勢作用により動かされたりするものであってもよい。
【００６５】
また、パネル材の曲げ板部は、配風板部から湾曲状に曲げられるのではなく屈曲状に曲げられるものであってもよい。また、対面板部に設けられて外部へ向けて熱放射を行う熱源は、パネルヒータＨ等の暖房器具の他、冷房器具であってもよい。また、上記熱源は、断熱材等の熱伝達をコントロールできる構造を用いて、対面板部がシート幅方向の外側から面を向ける着座者の身体に向けて両外側から輻射熱を当てるためだけに機能するように設けられたり、放出した熱を主に配風板部との間を流れる風にのみ伝えて曲げ板部から吹き出される風によって着座者の身体に向けて輻射熱を当てるように設けられたりするものであってもよい。
【００６６】
また、パネル材に設けられるパーティションは、対面板部から突出するように形成されたものの他、配風板部の内側面から突出するように形成されたものや、配風板部及び対面板部とは別体で構成された部材によって形成されたものであってもよい。
【符号の説明】
【００６７】
１      空調シート
２      シートバック
２Ａ    天板面（シート天板面）
２Ｂ    ブラケット
２Ｂａ  長孔
３      シートクッション
３Ａ    天板面（シート天板面）
３Ｂ    ブラケット
３Ｂａ  長孔
１０    パネル材
１１    配風板部
１１Ａ  内側面
１１Ｂ  延長部位
１２    曲げ板部
１３    対面板部
１３Ａ  パーティション
１３Ｂ  パーティション
２０    空調装置
２１    ダクト
３０    可動機構（位置調節機構、格納機構）
３１    回転軸
Ａ      風
Ｈ      パネルヒータ（熱源）
Ｐ１    使用位置
Ｐ２    格納位置
【図１】
2019084295.tif 000003
【図２】
2019084295.tif 000004
【図３】
2019084295.tif 000005
【図４】
2019084295.tif 000006
【図５】
2019084295.tif 000007
【図６】
2019084295.tif 000008
【図７】
2019084295.tif 000009
【図８】
2019084295.tif 000010